(57)【特許請求の範囲】
【請求項１】
紙幣を入出金処理する自動取引機に着脱利用される運用カートリッジから紙幣を繰出して内部に設置された複数の金種別スタッカに分配収納する自動取引機の紙幣分配処理装置であって、
前記金種別スタッカに配設し、該金種別スタッカに取込まれる紙幣の取込みを検知する紙幣取込み検知センサと、
前記紙幣取込み検知センサの検知信号に基づいて、金種別スタッカに取込んだ紙幣の取込み枚数を計数する計数手段と、
前記金種別スタッカへの分配処理途中で該金種別スタッカ以外の位置で搬送障害が発生したとき、既にスタッカに分配収納した計数済みの紙幣を有効に取扱い、障害復旧後に継続して分配処理を再開させる制御手段を備えたことを特徴とする自動取引機の紙幣分配処理装置。
【請求項２】
前記金種別スタッカへの分配処理途中で該金種別スタッカの位置で搬送障害が発生したとき、当該金種別スタッカ内の分配紙幣を未確定として取扱うように前記制御手段を設定した
請求項１に記載の自動取引機の紙幣分配処理装置。
【発明の詳細な説明】
【０００１】
【産業上の利用分野】
この発明は、例えば銀行業務で入出金取引き利用されるような自動取引機に関し、さらに詳しくは紙幣の分配処理性能に富む自動取引機の紙幣分配処理装置に関する。
【０００２】
【従来の技術】
一般に、自動取引機を営業開始時等で初期セットする場合、複数の金種を装填した運用カートリッジを自動取引機に装着し、この運用カートリッジから紙幣を繰出して内部に設置された金種別の各スタッカに分配収納して初期セットしている（例えば先行出願の特願平３ー２１５８８２号参照）。
【０００３】
しかし、金種別スタッカへの分配処理途中で搬送障害が発生した場合は、分配処理を中断して係員による障害復旧を行った後、繰出した全ての紙幣を元の運用カートリッジに戻して、最初から再び分配処理を開始するため、障害発生時には初期セットに時間がかかる問題を有していた。
【０００４】
【発明が解決しようとする課題】
そこでこの発明は、分配処理途中に搬送障害が発生しても、運用カートリッジから繰出した全ての紙幣を戻さず、有効管理して分配処理を再開することができる分配処理性能を高めた自動取引機の紙幣分配処理装置の提供を目的とする。
【０００５】
【課題を解決するための手段】
この発明は、紙幣を入出金処理する自動取引機に着脱利用される運用カートリッジから紙幣を繰出して内部に設置された複数の金種別スタッカに分配収納する自動取引機の紙幣分配処理装置であって、前記金種別スタッカに配設し、該金種別スタッカに取込まれる紙幣の取込みを検知する紙幣取込み検知センサと、前記紙幣取込み検知センサの検知信号に基づいて、金種別スタッカに取込んだ紙幣の取込み枚数を計数する計数手段と、前記金種別スタッカへの分配処理途中で該金種別スタッカ以外の位置で搬送障害が発生したとき、既にスタッカに分配収納した計数済みの紙幣を有効に取扱い、障害復旧後に継続して分配処理を再開させる制御手段を備えたことを特徴とする。
【０００６】
さらに、実施の形態として、前記金種別スタッカへの分配処理途中で該金種別スタッカの位置で搬送障害が発生したとき、当該金種別スタッカ内の分配紙幣を未確定として取扱うように前記制御手段を設定することができる。
【０００７】
【作用】
この発明によれば、運用カートリッジから繰出した紙幣を金種別スタッカに分配収納する分配処理時は、金種別スタッカ毎に取込まれた紙幣の取込み枚数を紙幣取込み検知センサを介して計数手段が計数管理し、この分配処理途中で、該金種別スタッカ以外の位置で搬送障害が発生したとき、制御手段が既にスタッカに分配収納された計数済みの紙幣を有効に取扱い、障害復旧後に継続して分配処理を再開させる。
【０００８】
また、分配処理途中で、金種別スタッカの位置で搬送障害が発生したとき、当該金種別スタッカ内の分配された紙幣のみ未確定として取扱い、この分配紙幣を運用カートリッジに戻す。
【０００９】
【発明の効果】
したがって、分配処理途中に搬送障害が発生しても、一旦、金種別スタッカに分配収納された紙幣は有効に管理されて運用カートリッジに戻す必要がなくなるため、全ての紙幣を戻さずに分配処理を再開することができる。
また、金種別スタッカの位置で搬送障害が発生した場合、当該金種別スタッカに分配された紙幣のみを運用カートリッジに戻し、他の搬送障害が発生していない金種別スタッカに分配収納された紙幣は運用カートリッジに戻す必要がない。それゆえ、分配処理を再開したときの紙幣回収時間の短縮化が図れ、また未繰出し量を繰出せばよいため分配処理時間の短縮化が図れ、短時間に能率よく分配処理することができる。
【００１０】
【実施例】
この発明の一実施例を以下図面に基づいて詳述する。
図面は現金自動預金支払機のような自動取引機の紙幣分配処理装置を示し、図１において、この自動取引機の紙幣分配処理装置は、装置本体１１の前面パネル１２に、取引き案内および操作手順を表示するタッチパネル兼用のＣＲＴ表示器１３と、通帳を挿入または返却する通帳挿入口１４と、紙幣を出入れ許容する紙幣出入口１５と、硬貨を出入れ許容する硬貨出入口１６と、カードを挿入または返却するカード挿入口１７と、取扱い表示器１８と、係員呼出しボタン１９とを備えている。
【００１１】
上述の装置本体１１の内部には、図２に示すように、紙幣の真偽判別、金種判別および表裏判別を行なう鑑別部２１と、裏向き紙幣を表向きに表裏反転する表裏反転部２２と、紙幣を一時的に保留する一時保留部２３と、模擬紙幣を収納する模擬紙幣収納部２４と、一時保留部２３に保留した紙幣を一括して放出および通過許容させる返却保留部２５と、紙幣の集積および繰出し機能を千円札、五千円札、万円札の金種毎に設けた金種別繰出し収納部としての第１〜第３スタッカＳ1 〜Ｓ3 と、入出金取引時の鑑別不良紙幣を回収する取引系回収部２６と、紙幣補充時の鑑別不良紙幣を回収する補充系回収部２７と、取忘れ紙幣を回収する取忘れ回収部２８と、装置本体１１に着脱許容して紙幣を分配、精査および回収する出入れ運用機能を備えた運用カートリッジＣ1 と、同じく装置本体１１に着脱許容して外部より紙幣を補充する補充カートリッジＣ2 とを配設しており、これら各要素２０〜２８、Ｓ1 〜Ｓ3 、Ｃ1 〜Ｃ2 をループ状の搬送ラインＬにより接続し、入力設定された処理信号に基づいて、入金処理、出金処理、分配処理、補充処理、精査処理等を施す。
【００１２】
上述の第１〜第３スタッカＳ1 〜Ｓ3 の各紙幣出入口には、スタッカ出入口センサ２９…を配設して、スタッカに取込まれる紙幣あるいは繰出される紙幣を検知し、この検知信号に基づいて後述するＣＰＵが紙幣の出入れ枚数を正確に計数する。
【００１３】
図３は自動取引機の紙幣分配処理装置の制御回路ブロック図を示し、ＣＰＵ３１はＲＯＭ３２に格納されたプログラムに沿って各回路装置を制御し、その制御データをＲＡＭ３３で読出し可能に記憶する。
【００１４】
このＣＰＵ３１は、インタフェース３４を介してＣＲＴ制御部３５、タッチパネルスイッチ制御部３６、カードリーダ３７、通帳・出入表プリンタ３８、紙幣処理部３９、硬貨処理部４０、フロッピディスク装置４１および伝送制御部４２を接続している。
【００１５】
ＣＲＴ制御部３５は、入出金取引き等の取引き案内および払込み設定等の表示案内と、その操作手順を表示制御する。
【００１６】
タッチパネルスイッチ制御部３６は、ＣＲＴ１３の画面上に表示した表示部分と対応してタッチ入力された入力信号を制御する。
【００１７】
カードリーダ３７は、カード挿入口１７より挿入されたカードの取引きデータを読取り、また更新データを書込み処理して、顧客の取引データに応じた入出金処理を行ない、このカード取引き終了時および入出金取消し時においてカードをカード挿入口１７より放出する。
【００１８】
通帳・出入表プリンタ３８は、通帳挿入口１４より挿入された通帳の印字欄に取引きデータや未記帳データの記帳処理を行ない、また通帳利用されない場合には取引き内容を証明する取引きデータを印字した明細票を発行する。
【００１９】
紙幣処理部３９は、紙幣出入口１５から入金された紙幣を装置本体１１の内部に取込み処理し、出金時および入金取消時に放出処理する。
【００２０】
硬貨処理部４０は、硬貨出入口１６から入金された硬貨を装置本体１１の内部に取込み処理し、出金時および入金取消時に放出処理する。
【００２１】
フロッピディスク装置４１は、フロッピディスク４３に顧客の詳細な取引情報や自動取引機が取引許容する様々な貯蓄プラン等の取引プランを記録する。
【００２２】
伝送制御部４２は、編集した入出金電文、払込み設定電文および記帳電文等をセンタ４４に送信し、センタ４４から伝送された入出金回答、払込み設定データ、未記帳データと今回の取引き分および残高等の記帳データを受信処理する。
【００２３】
また、ＣＰＵ３１は装置本体１１の外部に装備された取扱い表示器１８、呼出しボタン１９、補充カートリッジＣ2 等を制御する他、内部に装備された運用カートリッジＣ1 および第１〜第３スタッカＳ1 〜Ｓ3 を制御管理するものであって、例えば上述のスタッカ出入口センサ２９…を介して、スタッカＳ1 〜Ｓ3 に取込まれた紙幣枚数、またスタッカより繰出された紙幣枚数を計数し、各スタッカ内の紙幣増減度合いおよびスタッカ出入口での障害発生を検知する。
【００２４】
また、自動取引機を営業させる運用開始時や運用終了時は、運用カートリッジＣ1 を装置本体１１に着脱して、分配処理あるいは回収処理して紙幣を一括して取扱うようにしている。
【００２５】
さらに、ＣＰＵ３１は運用カートリッジＣ1 からの分配処理途中で、スタッカ以外の位置で搬送障害が発生したとき、既にスタッカＳ1 〜Ｓ3 内に分配収納した計数済みの紙幣を分配有効紙幣として管理し、障害復旧後に継続して枚数加算して分配処理を再開させる。
【００２６】
これにより、分配処理途中で搬送障害が発生しても、一旦スタッカに収納させた紙幣は運用カートリッジＣ1 に戻さずに分配処理を再開でき、分配処理時間を確実に短縮することができる。
【００２７】
このように構成された自動取引機の紙幣分配処理装置の分配処理動作を図４のフローチャートを参照して説明する。
【００２８】
今、自動取引機を営業開始に備えて初期セットするとき、千円札、五千円札、万円札の複数の金種を装填した運用カートリッジＣ1 を装置本体１１に装着し、この装着した運用カートリッジＣ1 から紙幣を繰出して、図２に太く実戦で示すように、分配経路を介して内部に設置された第１〜第３スタッカＳ1 〜Ｓ3 に金種別に分配収納する（ステップｎ1 〜ｎ2 ）。
【００２９】
この間に搬送障害が発生しなければ、ＣＰＵ３１は運用カートリッジＣ1 が空になるまで分配処理を実行させ、各スタッカＳ1 〜Ｓ3 で紙幣を取込む毎に、ＣＰＵ３１がスタッカ出入口センサ２９…を介して、その取込み枚数を計数し、全て分配すると、金種別の分配枚数が確定し、その分配内容を明細票に印字して初期セットが終了する（ステップｎ3 〜ｎ6 ）。
【００３０】
この分配処理途中で、スタッカ以外の位置で搬送障害が発生した場合は、ＣＰＵ３１が既にスタッカＳ1 〜Ｓ3 に分配収納した計数済みの確定紙幣を分配有効紙幣として取扱い、その分配途中までの分配確定内容を明細票に印字した後、係員によるジャム除去処理等の復旧処理を施す。このとき、係員はスタッカ内の紙幣が確定されているため、スタッカ内をチェックする必要がなくなり、係員復旧作業が軽減する（ステップｎ7 〜ｎ10）。
【００３１】
そして、この障害復旧後は、運用カートリッジＣ1 から繰出されて搬送ラインＬ上に残存している紙幣を運用カートリッジＣ1 に戻し、ジャム発生まで分配処理したスタッカ内の紙幣をそのまま待機させ、再び運用カートリッジＣから未繰出しの紙幣を繰出して分配処理を再開させる（ステップｎ11〜ｎ12）。
【００３２】
一方、障害発生場所が、スタッカ出入口の部分であれば、正確な枚数チェックができないため、ＣＰＵ３１はそのスタッカ内の紙幣を未確定として取扱い、その未確定状況を明細票に印字した後、係員による復旧処理を行なう（ステップｎ13〜ｎ15）。
【００３３】
復旧処理後は、搬送ラインＬ上に残存している紙幣を運用カートリッジＣ1 に戻すと共に、スタッカ内の未確定の紙幣を運用カートリッジＣ1 に戻した後、最初から分配処理を再開させる（ステップｎ16〜ｎ17）。
【００３４】
上述のように、分配処理途中に搬送障害が発生しても、一旦、金種別のスタッカに分配収納された紙幣は有効に管理されて運用カートリッジに戻す必要がなくなるため、全ての紙幣を戻さずに分配処理を再開することができる。それゆえ、分配処理を再開したときの紙幣回収時間の短縮化が図れ、また未繰出し量を繰出せばよいため分配処理時間の短縮化が図れ、短時間に能率よく分配処理することができる。
【００３５】
この発明と、上述の一実施例の構成との対応において、
この発明の金種別スタッカは、実施例の第１〜第３スタッカＳ1 〜Ｓ3 に対応し、
以下同様に、
紙幣取込み検知センサは、スタッカ出入口センサ２９に対応し、
計数手段および制御手段は、ＣＰＵ３１に対応するも、
この発明は、上述の一実施例の構成のみに限定されるものではない。
【図面の簡単な説明】
【図１】この発明の自動取引機を示す外観斜視図。
【図２】この発明の自動取引機の紙幣分配処理装置を示す内部構成図。
【図３】この発明の自動取引機の紙幣分配処理装置の制御回路ブロック図。
【図４】この発明の自動取引機の紙幣分配処理装置の処理動作を示すフローチャート。
【符号の説明】
１１…装置本体
２９…スタッカ出入口センサ
３１…ＣＰＵ
Ｃ1 …運用カートリッジ
Ｓ1 〜Ｓ3 …スタッカ
【図１】
0003551434.tif 000002
【図２】
0003551434.tif 000003
【図３】
0003551434.tif 000004
【図４】
0003551434.tif 000005